(57)【要約】      （修正有）【課題】普通サイズの自転車を輪行袋に小さく収納する輪行用自転車を提供する。【解決方法】自転車のダウンチューブ４を取り外し可能とし、トップチューブ１とシートチューブ３をピン結合し、内側に折り畳み可能とする。ハンドルステムは、ハンドル側１１とヘッドチューブ側１２に二分割のほぞ結合とし、ボルト１６もしくはクイックリリースレバ２１により、ワンタッチで分離する。【選択図】図１
0003224201.tif 000002
【実用新案登録請求の範囲】
【請求項１】
普通サイズの自転車を輪行袋にできるだけ小さく収納する輪行用自転車であって、ダウンチューブとヘッドチューブの交点の着脱可能なピン結合と、前記ダウンチューブとシートチューブの交点の着脱可能なピン結合と、トップチューブと前記シートチューブとの交点のピン結合と、を具備し、前記ダウンチューブを取り外し、前記トップチューブと前記シートチューブが内角に向けて折り畳むことを、特徴とする輪行用自転車。
【請求項２】
ハンドルステムをハンドル側と、前記ヘッドチューブ側に分割するワンタッチ継手の手段を前記ハンドルステムに具備する請求項１の記載の輪行用自転車。
【請求項３】
前記手段は、前記ハンドルステムを前記ハンドル側と前記ヘッドチューブ側に分離するほぞ接合であって、自転車を立てた状態で、前記ハンドル側の凸部と前記ヘッドチューブ側の凹部の結合側面に形成された下に向けて狭くなるテーパ結合面、と、前記凸部の先端に作られた上向きのフック部と前記凹部のほぞ穴奥部に作られた下向きのフック部と、前記凹部のほぞ穴下部の前記凸部の受けと、前記凸部上部より下部まで貫く孔と、該孔を通り前記凸部の受けに作られたタップ穴に結合するノブを持つボルト、もしくは前記凸の受けに係止する爪を持つ軸を、前記孔を通し前記軸の上部に設置されたクイックリリースレバー、により前記ほぞ結合を固定する事を特徴とする請求項１及び請求項２記載の輪行用自転車。
【考案の詳細な説明】
【技術分野】
【０００１】  普通サイズの自転車を輪行袋に小さく収納する輪行用自転車に関する。
【背景技術】
【０００２】  現在一般交通機関を利用し、目的地まで自転車を運搬し現地でサイクリングを楽しむ輪行というリクレーションが行われている。そのため輪行袋に小さく収納できる小径車輪の自転車が多くあるし、特許も多く登録されている。しかし折り畳機能を優先する事でシステムが全く異なったタイプ［文献１］や、車体の形状が複雑になっている折り畳自転車［文献２］などもある。
【文献１】
特第  ５１６３９４２
【文献２】
特第  ５８８１１９１
【０００３】  サイクリングロードを長く走るにはやはり完成度の高い普通のサイズのロードバイクやクロスバイクが適している。しかし、それらの折り畳み自転車は無く、輪行する場合は、前後輪を外し、ペダルも外し、できるだけ突起の無い状態を作り輪行袋に収納するがやはりまだ大きく、改良の余地がある。ハンドルを外せばかなり小さく収納できるがワンタッチで外す機能はなく工具が必要で手間取っているのが現状である。
【考案の開示】
【考案が解決しようとする課題】
【０００４】  完成度の高い自転車をできるだけ改造せず小さく収納できるフレームと、簡単に脱着できるハンドルが課題である。
【課題を解決する手段】
従来の折り畳みは、フレームが連なって折り畳む方式が主でありフレームの一部を取り外ことは無い。従ってフレームの一部の取り外しを行うと今までと違う収納できる
以下その方式を述べる。
【０００５】ダウンチューブとヘッドチューブの交点の着脱可能なピン結合と、ダウンチューブとシートチューブの交点の着脱可能なピン結合とを行い、ダウンチューブを取り外し、トップチューブとシートチューブとの交点を内角に回動可能なピン結合とし、トップチューブとシートチューブを内角方向に回動し略平行にする。
【０００６】  ハンドルはハンドルステムによりボルト類でヘッドチューブ上部の前ホーク軸に固着されている。このハンドルステムの中間をワンタッチ継手にすれば工具を使ってボルト類を外さなくてよい。
【０００７】  ワンタッチ継手は、ハンドルステムをハンドル側とヘッドチューブ側に分離するほぞ接合とし、ハンドル側の凸部とヘッド側の凹部とで構成され、結合側面は上から下に絞るテーパ結合とし、凸部の先端に作られた上向きのフック部と、凹部のほぞ穴奥部に作られた下向きのフック部と、凹部ほぞ穴下部の凸部の受けとを具備し、ハンドル側をヘッド側に斜め上部より差し込み両フックを結合させ略水平とする。ほぞ結合側面は上から下に絞るテーパ結合により密着し、凸部上部より下部まで貫く孔と、該孔を通り凸部の受けに作られたタップ穴に結合するノブを持つボルト、もしくは凸部の受けに係止する爪を持つ軸を孔に通し、軸の上部に設置されたクイックリリースレバーによりほぞ結合を固定する。
【考案の効果】
【０００８】  この考案は普通のロードバイクやクロスバイクの形状を変えずピン部のみ追加することで小さく収納できる特徴がある。トップチューブとシートチューブの交点のピン結合とダウンチューブの両端のシートチューブとヘッドチューブのピン結合より三角形の強度を持ち、ダウンチューブの取付取り外しの寸法調整も楽で、現地組立に有利である。前後車輪の脱着は通常行っている作業で問題は無く、ダウンチューブを外せばシートチューブに固着されているシートステー、チェーンステー、ボトムブラケット、クランク、チェーン、スプロケット、変速機構はそのままの状態でシートチューブとトップチューブを回動することができる。ワイヤー類は全てトップチューブ経由にしておく。サドルはシートピンを緩め最下位にし、ペダルも外せばフレームを小さく収納できる。
【０００９】  ハンドルの取り外しには、ノブを回しボルトを外すか、またはクイックリリースレバーを緩め凸部の受けとの爪の結合を解き、ハンドルを上に持ち上げると、側面のテーパ結合が緩み、ほぞ内部のフックが外れハンドルステムが分割する。折り畳んだフレームとハンドルを重ね、前後車輪を重ねると、タイヤ面程度に収納できる。
【考案を実施するための最良の形態】
【００１０】  以下図１、図２、図３において実施形態の一例を示す。
トップチューブ１とヘッドチューブ２は剛体で、トップチューブ１とシートチューブ３の交点は、後ろブレーキとチェーン変速機構のワイヤー類を通すため分離しないクレビスのピン結合とし、ダウンチューブ４の両端とヘッドチューブ２、シートチューブ３の結合は、互いに片クレビスの一本ボルト接合とし、ダウンチューブ４の取り外し時はボルトを緩めて外すか、クイックリリースレバーを使用すれば工具が不要となる。なお、接合面に互いに噛み込みを入れるとボルトのせん断力が発生しない。【００１１】  ハンドルステムは、ハンドル側が凸１１でヘッドチューブ側が凹１２のほぞ継手で、結合側面１３は上から下に絞るテーパとなっている（図２Ｃ）。
凸部１１の先端は上向きのフック１４を形成し凹部１２のほぞ穴奥部に下向きのフック１５を形成させる。ハンドル側を斜め上向きにして差し込み、水平に戻しフック１４，１５を結合させ接合面のテーパ結合１３で密着する。ほぞの結合を固定する為に、ノブを持つボルト１６を凸部の孔１７を通し、凸部の受け１８のタップ孔１９に締めこむ方法（図２Ａ）と、下部の爪２０にタップ穴を設け、爪の回り止めを行い、クイックリリースレバー２１を持つボルトで締めこむ方法（図２Ｂ）がある。
【図面の簡単な説明】
【００１２】
【図１】は自転車のフレームを、ピン結合した図である。
【図２】はハンドルステムの断面図で、Ａはノブを持つボルト結合、Ｂはクイックリリースレバー結合、Ｃは矢視の断面図である。
【図３】はフレームの折り畳時の状態である。
【符号の説明】
【００１３】１    トップチューブ
２    ヘッドチューブ
３    シートチューブ
４    ダウンチューブ
１１  ほぞ結合のハンドル側の凸部
１２  ほぞ結合のヘッドチューブ側の凹部
１３  ほぞ結合の結合面のテーパ
１４  上向きのフック
１５  下向きのフック
１６  ノブを持つボルト
１７  凸部の孔
１８  凹部に設けた凸部の受け
１９  タップ孔
２０  爪
２１  クイックリリースレバー
【図１】
0003224201.tif 000003
【図２】
0003224201.tif 000004
【図３】
0003224201.tif 000005